(57)【要約】【課題】簡単な構成で、容易に測定装置を保持する保持装置を提供する。【解決手段】保持装置２００は、メインスケールと、このメインスケールに移動可能に設けられるとともに、メインスケールに対しての移動量を検出する検出手段を備えた検出ヘッドと、を備えたリニアスケールで、検出ヘッドをメインスケールの所定位置に保持する保持装置２００であって、ヘッド対向面１１３に当接するメイン当接面２１０Ｂを備えた保持本体２１０と、保持本体２１０からヘッド対向面１１３に沿って延出するとともに、メインスケールおよび検出ヘッドの間に挿通される爪部２１２と、保持本体２１０からヘッド移動溝１１４内に挿通されるとともに、ヘッド移動溝１１４に係合されるコマ係合部２２２を備えたコマ部２２０と、コマ部２２０を移動させてコマ係合部２２２をヘッド移動溝１１４に係合させる保持移動ネジ２３０と、を具備した。【選択図】図３
2008267989.tif 000002
【特許請求の範囲】
【請求項１】
長手枠状に形成され、長手方向に沿って溝部が設けられた移動面を備えたメインスケールと、このメインスケールの前記溝部に係合されて前記移動面に略沿って移動可能に設けられるとともに、前記メインスケールに対しての移動量を検出する検出手段を備えたヘッド部と、を備えた測定装置において、前記ヘッド部を前記メインスケールの所定位置に保持する保持装置であって、
前記移動面に当接する当接面を備えた保持本体と、
前記保持本体から前記移動面に沿って延出するとともに、前記メインスケールおよび前記ヘッド部の間に挿通される爪部と、
前記保持本体から前記溝部内に挿通されるとともに、前記溝部に係合される保持部と、
前記保持部を移動させて前記溝部に係合させる保持移動手段と、
を具備したことを特徴とした保持装置。
【請求項２】
請求項１に記載の保持装置であって、
前記保持部は、前記保持本体から前記溝部に挿通される挿通部、およびこの挿通部の先端部から前記溝部の側縁に向かって突出する突出部を備えた係合部を備え、
前記保持移動手段は、前記係合部を前記溝部の側縁に向かって移動させる
ことを特徴とした保持装置。
【請求項３】
請求項２に記載の保持装置であって、
前記保持部は、前記突出部が前記溝部の互いに異なる側縁側に突出する少なくとも一対の係合部を備え、
前記保持移動手段は、一方の側縁側に前記突出部が突出する前記係合部を移動させる
ことを特徴とした保持装置。
【請求項４】
請求項２または請求項３に記載の保持装置であって、
前記保持移動手段は、前記保持本体の所定位置に、前記溝部の長手方向に対して交差する状態で位置決めされるネジ部材であり、
前記係合部は、前記ネジ部材の先端に螺合されるとともに、前記ネジ部材の回転によりこのネジ部材の長手方向に進退可能に設けられた
ことを特徴とした保持装置。
【請求項５】
請求項２または請求項３に記載の保持装置であって、
前記保持本体は、前記溝部の長手方向に対して交差する方向に延出する案内溝を備え、
前記係合部は、前記案内溝に係合されて、前記案内溝の延出方向に沿って移動可能に設けられ、
前記保持移動手段は、前記溝部の長手方向と略平行する方向または前記溝部の長手方向と略直交する方向に進退可能に設けられるとともに、先端部にて前記係合部の一端部を押圧する押圧部材と、前記係合部の押圧部材の押圧方向とは反対側端部に設けられるとともに、前記係合部を前記押圧部材に向かって付勢する付勢手段とを備えた
ことを特徴とした保持装置。
【請求項６】
請求項２または請求項３に記載の保持装置であって、
前記係合部は、前記溝部の長手方向に対して略直交する方向に移動可能に設けられるとともに、前記溝部の長手方向に対して交差する斜面を備え、
前記保持移動手段は、前記溝部の長手方向に略平行する方向に進退移動可能に設けられるとともに、前記係合部の前記斜面と略平行して前記斜面に当接する押圧斜面を有する押圧部材と、前記係合部を前記押圧部材に向かって付勢する付勢手段とを備えた
ことを特徴とした保持装置。
【請求項７】
請求項１に記載の保持装置であって、
前記メインスケールの前記溝部は、長手方向を略平行する一対の溝側縁に略沿って、互いに対向する方向に延出し、前記移動面の一部を構成する延出部を備え、
前記保持部は、前記保持本体に、前記移動面に略直交する回動軸を中心として回動可能で、回動軸を中心とした径方向に沿って長手状に形成されるとともに、前記保持本体に対向する位置に前記延出部に係合される係合保持部が設けられ、
前記保持移動手段は、前記保持部を前記回動軸を中心として回動させる回動部材である
ことを特徴とした保持装置。
【請求項８】
請求項７に記載の保持装置であって、
前記保持部は、前記係合保持部から周方向に向かうに従って、前記移動面から離隔する方向に傾斜するテーパ面を備えた
ことを特徴とした保持装置。
【請求項９】
請求項７に記載の保持装置であって、
前記係合保持部は、前記回動軸から径外方向に向かうに従って、前記移動面から離隔する方向に傾斜するテーパ形状に形成された
ことを特徴とした保持装置。
【請求項１０】
請求項１ないし請求項９のいずれかに記載の前記保持装置を前記ヘッド部の両端位置に設置して前記メインスケールに保持した状態で、前記メインスケールを所定の第一取付部に固定し、前記ヘッド部を前記第一取付部に対して相対移動可能な第二取付部に固定されたことを特徴とした測定装置。
【発明の詳細な説明】
【技術分野】
【０００１】
本発明は、メインスケールに対してヘッド部が移動可能な測定装置において、メインスケールに対してヘッド部を位置決めする保持装置、および測定装置に関する。
【背景技術】
【０００２】
従来、メインスケールに対してヘッド部を移動させ、メインスケールに設けられた測定目盛をヘッド部に設けられた検出部で検出し、移動量を測定する測定装置が知られている。このような測定装置では、測定装置を被測定物に設置する際にメインスケールおよびヘッド部の間に所定のクリアランスを設けた状態で設置する必要がある。このようなクリアランスを設けるために、従来、図９に示すような構成の保持装置が用いられていた。
【０００３】
すなわち、図９において、測定装置９００は、長手状のメインスケール９１０およびメインスケール９１０の長手方向に沿って移動可能なヘッド部９２０を備えている。メインスケール９１０は、ヘッド部９２０に対向する平面９１１を備え、この平面９１１の長手方向に沿ってヘッド部９２０の移動を案内する案内溝９１２が形成されている。このような測定装置９００では、メインスケール９１０を図示しないメインスケール取り付け面に、またヘッド部９２０をヘッド固定面に固定する際に、所定のクリアランスを設ける必要があるため、固定時に保持部材８００を用いてこのクリアランスを確保する。この保持部材８００は、メインスケール９１０の平面９１１に当接する保持本体８１０と、保持本体８１０の平面に沿って延出する爪部８２０とを備えている。そして、保持部材８００は、ヘッド部９２０とメインスケール９１０の長手方向における略中央位置に位置した状態で、爪部８２０をメインスケール９１０およびヘッド部９２０の間に挿通してクリアランスを確保し、ねじ止めなどによりメインスケールに固定される。
【０００４】
また、メインスケールに対してヘッド部を固定する方法として、例えば特許文献１にしめすような構成も知られている。
この特許文献１に記載のものは、支持体、走査装置、および保持装置を備え、保持装置でもって走査装置が所定の目標位置内において支持体に保持される測定装置である。この測定装置では、支持体は長手方向に延出する中空成形体を備え、この中空成形体の中空室内に長手方向に沿って測定目盛が配置され、この測定目盛に沿って摺動可能な走査装置が設けられている。また、走査装置には、保持装置が結合されている。この保持装置は、一端側に中空成形体の長手方向に沿って延在する延長部、他端側に基体が設けられ、延長部の先端部および基体の一部が走査装置に係合されて固定可能に設けられている。また、保持装置の基体は、中空形成体に挿通される締付け脚部を有し、ローレット付ナットを操作することで締付け脚部を中空成形体の内壁に押圧させて結合させている。
【０００５】
【特許文献１】特開２００５−１１４７１９号公報
【発明の開示】
【発明が解決しようとする課題】
【０００６】
ところで、上記図９のような従来の構成では、保持装置がねじ止めによりメインスケール９１０に固定される。したがって、メインスケールおよびヘッド部の間にクリアランスを設けた状態で、それぞれを固定面に取り付ける際に、ヘッド部９２０をメインスケール９１０の略中央部に移動させる必要があり、この位置でヘッド部９２０を固定した状態で測定装置９００を設置する必要がある。しかしながら、測定装置９００の設置位置や設置状況、その他の要因により、ヘッド部９２０をメインスケール９１０の略中央位置に固定した状態で測定装置９００を設置することが困難な場合がある。この場合、例えばメインスケール９１０の平面９１１の他の位置に、新たにねじ止めのための孔部を設けるなどの必要があり、煩雑な作業が伴うという問題がある。
【０００７】
また、特許文献１に記載のような従来の構成の保持装置では、保持装置を走査装置の長手方向に沿って延出させる延長部の構成が必要であるため、構成が大型化および複雑化してしまうという問題が挙げられる。特に、測定装置の設置時にのみに用いる保持装置としてこのような装置を用いることはコスト的に不適切であるという問題がある。
【０００８】
本発明は、上記のような問題に鑑みて、簡単な構成で、容易に測定装置を保持する保持装置、および測定装置を提供すること１つの目的とする。
【課題を解決するための手段】
【０００９】
本発明の保持装置は、長手枠状に形成され、長手方向に沿って溝部が設けられた移動面を備えたメインスケールと、このメインスケールの前記溝部に係合されて前記移動面に略沿って移動可能に設けられるとともに、前記メインスケールに対しての移動量を検出する検出手段と備えたヘッド部と、を備えた測定装置において、前記ヘッド部を前記メインスケールの所定位置に保持する保持装置であって、前記移動面に当接する当接面を備えた保持本体と、前記保持本体から前記移動面に沿って延出するとともに、前記メインスケールおよび前記ヘッド部の間に挿通される爪部と、前記保持本体から前記溝部内に挿通されるとともに、前記溝部に係合される保持部と、前記保持部を移動させて前記溝部に係合させる保持移動手段と、を具備したことを特徴とする。
この発明によれば、保持装置は、メインスケールの移動面に当接する保持本体と、この保持本体から移動面に沿って延出し、メインスケールおよびヘッド部の間に挿通される爪部と、メインスケールの溝部に挿通される保持部と、保持部を移動させて溝部に係合させる保持移動手段とを備えている。
このため、爪部をメインスケールおよびヘッド部の間に挿通するだけの簡単な構成で、メインスケールおよびヘッド部のクリアランスを所定寸法に維持した状態でヘッド部をメインスケールに対して位置決めすることができる。したがって、測定装置を例えば測定対象となる台座部に取り付ける際に、メインスケールおよびヘッド部のクリアランスを確保した状態で、これらのメインスケール及びヘッド部を所定の取付面に容易に固定することができる。
また、保持移動手段にて保持部を溝部の幅方向に移動させて保持部を溝部に係合させている。このため、保持装置を溝部の長手方向に沿う任意の位置に固定することができる。したがって、ヘッド部をメインスケールの任意の位置に位置決めした状態で、測定装置を所定の取付面に固定することができる。よって、測定装置の設置位置や設置状況、その他の要因により、ヘッド部をメインスケールの略中央に位置決めした状態での測定装置の取り付けが困難な場合でも、ヘッド部を任意の位置に移動させた状態で、測定装置を取付面に固定することができる。
これにより、簡単な構成で、ヘッド部およびメインスケールの間に所定寸法のクリアランスを確保した状態で、ヘッド部をメインスケールの任意の位置に位置決めすることができ、測定装置の取付面への設置作業が容易に実施できる。
【００１０】
また、本発明の保持装置では、前記保持部は、前記保持本体から前記溝部に挿通される挿通部、およびこの挿通部の先端部から前記溝部の側縁に向かって突出する突出部を備えた係合部を備え、前記保持移動手段は、前記係合部を前記溝部の側縁に向かって移動させることが好ましい。
この発明によれば、保持部は、溝部内に挿通される挿通部、および挿通部から溝部の側縁に向かって突出する突出部を有する係合部を備え、保持移動手段にてこの係合部を溝部の側縁に向かって移動させている。これにより、係合部を溝部内に挿入したのち、保持移動手段により係合部を溝部の側縁側に移動させることで、突出部を溝部の側縁に係合させることができる。したがって、保持装置のメインスケールの固定が容易であり、ヘッダ部を容易にメインスケールに保持させることができる。
【００１１】
さらに、本発明の保持装置では、前記保持部は、前記突出部が前記溝部の互いに異なる側縁側に突出する少なくとも一対の係合部を備え、前記保持移動手段は、一方の側縁側に前記突出部が突出する前記係合部を移動させることが好ましい。
この発明によれば、一対の係合部のうち溝部の一方の側縁に向かって突出部が突出する一方側の係合部を、対向する溝部の側縁に係合させた状態で、他方の係合部を移動させることで、保持装置をメインスケールに固定することができる。したがって、全係合部を移動させる必要がなく、構成をより簡単にすることができる。
【００１２】
そして、本発明の保持装置では、前記保持移動手段は、前記保持本体の所定位置に、前記溝部の長手方向に対して交差する状態で位置決めされるネジ部材であり、前記係合部は、前記ネジ部材の先端に螺合されるとともに、前記ネジ部材の回転によりこのネジ部材の長手方向に進退可能に設けられることが好ましい。
この発明によれば、保持本体の所定位置に、溝部の長手方向に対して交差する状態でネジ部材が位置決めされ、係合部は、このネジ部材の先端に螺合されてネジ部材の回転によりネジ部材の長手方向に進退可能に設けられている。これにより、ネジ部材を回転させるだけで、係合部を溝部の長手方向に対して交差する方向に移動させることができ、突出部を溝部の側縁に向かって進退させることができる。したがって、簡単な構成で、また簡単な作業にて保持装置をメインスケールに固定することができる。また、ネジ部材が溝部の長手方向に対して交差する方向に位置決めされているため、ネジ部材の係合部が螺合されていない他端側をメインスケールの長手方向、すなわちヘッド部の移動経路から離れる方向に突出させることができる。したがって、測定装置を所定の設置位置に設置する際に、ヘッド部の移動経路上に、例えば設置治具などの他の部材が存在する場合でも、容易にネジ部材を操作することができ、測定装置の取付作業の効率を向上させることができる。
【００１３】
また、本発明の保持装置では、前記保持本体は、前記溝部の長手方向に対して交差する方向に延出する案内溝を備え、前記係合部は、前記案内溝に係合されて、前記案内溝の延出方向に沿って移動可能に設けられ、前記保持移動手段は、前記溝部の長手方向と略平行する方向または前記溝部の長手方向と略直交する方向に進退可能に設けられるとともに、先端部にて前記係合部の一端部を押圧する押圧部材と、前記係合部の押圧部材の押圧方向とは反対側端部に設けられるとともに、前記係合部を前記押圧部材に向かって付勢する付勢手段と、を備える構成としてもよい。
この発明では、保持本体に溝部の長手方向に対して交差する案内溝が設けられ、この案内溝に係合部が移動可能に設けられている。そして、保持移動手段は、係合部を所定方向に押圧する押圧部材と、係合部を押圧部材側に付勢する付勢手段と、を備えている。これにより、係合部は、溝部の長手方向に対して交差する方向に移動可能となるため、上記発明と同様に、突出部を溝部の側縁に向かって進退移動させることができ、簡単な構成で保持装置をメインスケールに固定することができ、また、押圧部材にて係合部の押圧状態を変化させるだけで容易に保持装置を固定することができる。
【００１４】
さらに、本発明の保持装置では、前記係合部は、前記溝部の長手方向に対して略直交する方向に移動可能に設けられるとともに、前記溝部の長手方向に対して交差する斜面を備え、前記保持移動手段は、前記溝部の長手方向に略平行する方向に進退移動可能に設けられるとともに、前記係合部の前記斜面と略平行して前記斜面に当接する押圧斜面を有する押圧部材と、前記係合部を前記押圧部材に向かって付勢する付勢手段とを備える構成としてもよい。
この発明では、係合部が溝部の長手方向に対して略直交する方向に移動可能に設けられ、溝部の長手方向に対して交差する方向に傾斜する斜面を備えている。そして、保持移動手段は、溝部の長手方向に略平行する方向に進退移動可能に設けられるとともに、係合部の斜面に当接可能な押圧斜面を備えた押圧部材と、係合部を押圧部材側に付勢する付勢手段とを備えている。これにより、上記発明と同様に、突出部を溝部の側縁に向かって進退移動させることができ、簡単な構成で保持装置をメインスケールに固定することができ、また、押圧部材にて係合部の押圧状態を変化させるだけで容易に保持装置を固定することができる。また、係合部を溝部の側縁に対して略直交する方向に移動させることができるので、より良好に保持装置をメインスケールに固定することができる。
【００１５】
そして、本発明の保持装置では、前記メインスケールの前記溝部は、長手方向を略平行する一対の溝側縁に略沿って、互いに対向する方向に延出し、前記移動面の一部を構成する延出部を備え、前記保持部は、前記保持本体に、前記移動面に略直交する回動軸を中心として回動可能で、回動軸を中心とした径方向に沿って長手状に形成されるとともに、前記保持本体に対向する位置に前記延出部に係合される係合保持部が設けられ、前記保持移動手段は、前記保持部を前記回動軸を中心として回動させる回動部材である構成としてもよい。
この発明によれば、保持部は、移動面に略直交する回動軸を中心として回動可能で、回動軸を中心とした径方向に沿って長手状に形成されており、保持本体と対向する面に溝部の側縁に沿って延出する延出部に係合可能な係合保持部が設けられている。
これにより、保持装置は、保持部を溝部の長手方向に沿う姿勢に回動した状態で溝部内に容易に挿通させることができる。また、保持部が溝部内に挿通された状態で回動部材を回動させて保持部を回動させることで、係合保持部が延出部に係合されて容易に保持装置をメインスケールに固定することができる。また、回動部材が移動面に対して略直交して設けられているので、保持部の回動操作を容易に実施でき、保持装置のメインスケールへの固定をより容易に実施できる。
【００１６】
また、本発明の保持装置では、前記保持部は、前記係合保持部から周方向に向かうに従って、前記移動面から離隔する方向に傾斜するテーパ面を備えることが好ましい。
この発明によれば、保持部は、係合保持部から周方向に向かうに従って移動面から離隔する方向に傾斜するテーパ面を備えている。
これにより、保持部を回動させると、延出部をこのテーパ面に沿って係合保持部に案内することができる。したがって、容易に、かつ確実に係合保持部を延出部に係合させることができる。
【００１７】
また、本発明の保持装置では、前記係合保持部は、前記回動軸から径外方向に向かうに従って、前記移動面から離隔する方向に傾斜するテーパ形状に形成される構成としてもよい。
この発明によれば、係合保持部は、径外方向に向かうにしたがって、移動面から離隔する方向に傾斜するテーパ状に形成されている。これにより、保持部を回動させると、係合保持部をテーパに沿って延出部に係合させることができるので、容易、かつ確実に係合保持部を延出部に係合させることができる。
【００１８】
そして、本発明の測定装置は、上述したような前記保持装置にて、前記ヘッド部を前記メインスケールに保持した状態で、前記メインスケールを所定の第一取付面に固定し、前記ヘッド部を前記第一取付面に対して相対移動可能な第二取付面に固定されることを特徴とする。
この発明によれば、上記のような保持装置にて、ヘッド部の両端部を挟み込んだ状態で、保持装置をメインスケールに固定してヘッド部を保持し、この状態でメインスケールを第一取付面に固定し、ヘッド部を第二取付面に固定する。これにより、ヘッド部とメインスケールとの間のクリアランスを一定にすることができ、メインスケールに対してヘッド部が傾くなどの不都合を防止できるとともに、ヘッド部をメインスケールの任意の位置に保持することができ、第一取付部および第二取付部に良好に測定装置を固定することができる。
【発明を実施するための最良の形態】
【００１９】
以下、本発明に係る一実施の形態の測定装置としてのリニアスケールを、図面を参照して説明する。
図１は、本実施の形態のリニアスケールの構成を示す全体斜視図である。図２は、前記実施の形態のリニアスケールの正面図である。図３は、前記実施の形態のリニアスケールにおいて、検出ヘッドをメインスケールに保持する保持装置をヘッド移動溝側から見た平面図であり、（Ａ）は、保持装置をメインスケールに固定した状態における図、（Ｂ）保持装置の固定が解除された状態における図である。図４は、メインスケールに保持装置を固定した状態の概略を示す断面図である。
【００２０】
［リニアスケールの構成］
図１および図２において、１００は、リニアスケールであり、リニアスケール１００は、例えば被測定物を測定する測定器３００の台座部３１０などに固定され、台座部３１０の移動量を測定する装置である。なお、図１では、リニアスケール１００を台座部に固定した直後の状態を示したものであり、測定器にて測定を実施する際には、リニアスケール１００から保持装置２００が取り外された状態となる。そして、このリニアスケール１００は、メインスケール１１０と、ヘッド部としての検出ヘッド１２０と、を備えている。
【００２１】
メインスケール１１０は、長手状に形成される枠部材１１１を備えている。この枠部材１１１は、図３に示すように、断面略コ字状に形成され、検出ヘッド１２０が対向する一面側にコ字開口が形成されている。そして、このコ字開口部には、延出部１１２が互いに近接する方向に伸びてヘッド対向面１１３を形成し、これらの延出部１１２の間に溝部としてのヘッド移動溝１１４が形成されている。また、メインスケール１１０は、長手方向に沿う一面に、測定器３００の台座部３１０における固定台座部３１１に固定される図示しないメイン側固定面を備え、メイン側固定面を固定台座部３１１の例えば側面に当接させた状態で固定される。
また、メインスケール１１０の枠部材１１１の内部には、ヘッド移動溝１１４に沿って、図示しない目盛部が形成されている。
【００２２】
検出ヘッド１２０は、図示しない係合脚部を備え、この係合脚部をメインスケール１１０のヘッド移動溝１１４に係合させることで、ヘッド移動溝１１４の長手方向に沿って移動可能に設けられている。この検出ヘッド１２０は、長手方向に沿う一面側に、台座部３１０の固定台座部３１１に対して相対移動可能に設けられる移動台座部３１２に固定される図示しないヘッド側固定面を備え、このヘッド側固定面を移動台座部３１２に当接させた状態で固定される。この時、検出ヘッド１２０は、移動精度を向上させるために、メインスケール１１０との間に所定厚み寸法のクリアランス１２１が設けられた状態で、移動台座部３１２に固定される。このクリアランス１２１は、後述する保持装置２００により形成される。
また、検出ヘッド１２０は、図示しない検出部を備えている。この検出部は、例えばメインスケール１１０の目盛部に対して所定波長の光を射出する光源部と、目盛部から反射された反射光を受光する受光部と、受光部にて受光された反射光に基づいて検出ヘッド１２０のメインスケール１１０に対する移動量を検出する移動量検出手段と、などを備えている。なお、本実施の形態では、検出部として、反射光により移動量を検出する、いわゆる光学式リニアスケールを例示するが、これに限定されず、例えば、静電式リニアスケールなどのように、他の構成の検出部を備えた構成としてもよい。
また、検出ヘッド１２０の一端面には、長手方向に向かって延出する可動軸１２２が設けられている。
【００２３】
［保持装置の構成］
次に、保持装置２００の構成を説明する。保持装置２００は、上記したリニアスケール１００を台座部３１０に固定する際に、検出ヘッド１２０およびメインスケール１１０の間にクリアランス１２１を設けた状態で、検出ヘッド１２０をメインスケール１１０の任意の位置に保持するために用いられる。また、保持装置２００は、リニアスケール１００を例えば工場からの出荷時において、検出ヘッド１２０のガタツキを防止するために、検出ヘッド１２０をメインスケール１１０に対して保持する目的でも用いられる。この保持装置２００は、図１ないし図３に示すように、保持本体２１０と、保持部としてのコマ部２２０と、保持移動手段としての保持移動ネジ２３０と、などを備えている。
【００２４】
保持本体２１０は、検出ヘッド１２０に当接するヘッド当接面２１０Ａと、メインスケール１１０のヘッド対向面１１３に当接するメイン当接面２１０Ｂと、を備える略直方体状に形成されている。
【００２５】
また、保持本体２１０のヘッド当接面２１０Ａには、例えば円柱状の位置決め部２１１が検出ヘッド１２０側に突出形成されている。この位置決め部２１１は、検出ヘッド１２０の長手方向の両端面に形成される図示しない位置決め孔部に嵌合され、保持本体２１０を検出ヘッド１２０に対して位置決めする。
【００２６】
さらに、保持本体２１０のヘッド当接面２１０Ａには、メイン当接面２１０Ｂに連続してメインスケール１１０のヘッド対向面１１３に当接する爪部２１２が突出形成されている。この爪部２１２は、一様な所定厚み寸法に形成されており、検出ヘッド１２０をメインスケール１１０に対して保持した際に、メインスケール１１０および検出ヘッド１２０の間に挿通されることで、所定寸法のクリアランス１２１を形成する。
【００２７】
保持本体２１０のメイン当接面２１０Ｂには、ヘッド移動溝１１４に挿通される一対の第一係合部２１３が突出形成されている。また、この第一係合部２１３は、先端部にメインスケール１１０の枠部材１１１の一面側に突出する係止部２１３Ａが形成され、この係止部２１３Ａとメイン当接面２１０Ｂとにより、メインスケール１１０の延出部１１２を挟み込むことで、ヘッド移動溝１１４に係合されている。
【００２８】
また、保持本体２１０のメイン当接面２１０Ｂには、コマ案内溝２１４が形成されている。このコマ案内溝２１４は、保持装置２００をメインスケール１１０に固定した際に、メインスケール１１０の長手方向に対して所定角度で傾斜する状態に形成されている。具体的には、コマ案内溝２１４は、保持本体２１０のヘッド当接面２１０Ａの反対側面となる操作面２１０Ｃから、ヘッド当接面２１０Ａに近接するに従って、第一係合部２１３に近接する方向に傾斜して形成されている。このコマ案内溝２１４は、コマ部２２０が係合され、コマ部２２０の傾斜方向に沿う移動を案内する。
【００２９】
さらに、保持本体２１０の操作面２１０Ｃには、第一係合部２１３の係止部２１３Ａの突出方向の側面に向かって傾斜するネジ操作面２１０Ｄが設けられている。具体的には、ネジ操作面２１０Ｄは、コマ案内溝２１４の傾斜方向に対して略直交する角度に傾斜する状態に形成されている。そして、このネジ操作面２１０Ｄには、コマ案内溝２１４に連通されるネジ挿通孔２１４Ａが形成されている。
【００３０】
コマ部２２０は、コマ案内溝２１４の幅寸法と略同一幅寸法を有する胴部２２１を備えている。また、コマ部２２０は、ヘッド移動溝１１４内に挿通される係合部としてのコマ係合部２２２を備えている。このコマ係合部２２２は、略軸状の挿通部２２２Ａと第一係合部２１３の係止部２１３Ａの突出方向と逆方向に突出する突出部２２２Ｂとを備えている。さらに、コマ部２２０は、操作面２１０Ｃに対向する面で、ネジ挿通孔２１４Ａの延長上に雌ネジ孔２２３が形成されている。この雌ネジ孔２２３には、保持移動ネジ２３０の先端部に形成される雄ネジ部２３１が螺合されている。
そして、コマ部２２０は、保持移動ネジ２３０の回転により、雌ネジ孔２２３に螺合される雄ネジ部２３１の螺合状態が変化することで、コマ案内溝２１４内を進退移動する。これにより、図３（Ａ）に示すように、コマ部２２０がヘッド当接面２１０Ａから離隔する側に移動すると、コマ係合部２２２が枠部材１１１の一側面に向かって移動し、図４の実線にて示されるように、突出部２２２Ｂが延出部１１２に係合されて、保持装置２００をメインスケール１１０に固定される。また、図３（Ｂ）に示すように、コマ部２２０がヘッド当接面２１０Ａに近接する方向に移動すると、コマ係合部２２２が枠部材１１１の側面から離隔し、図４の破線にて示されるように、突出部２２２Ｂおよび延出部１１２の係合状態が解除される。
【００３１】
保持移動ネジ２３０は、操作面２１０Ｃのネジ操作面２１０Ｄから、ネジ挿通孔２１４Ａを通ってコマ案内溝２１４に挿通されている。また、保持移動ネジ２３０の先端部は、上述したように、雄ネジ部２３１が設けられ、コマ部２２０の雌ネジ孔２２３に螺合されている。また、保持移動ネジ２３０は、コマ案内溝２１４の操作面２１０Ｃ側の端面に当接される鍔部２３２を備えている。さらに、保持移動ネジ２３０は、雄ネジ部２３１が設けられていない他端側に、ネジ操作面２１０Ｄに当接する操作部２３３を備えている。そして、これらの鍔部２３２および操作部２３３により、保持移動ネジ２３０は、軸方向への移動が規制されている。
このような保持移動ネジ２３０は、ネジ操作面２１０Ｄから外方に突出する操作部２３３を操作して回転させることで、上述したように、雄ネジ部２３１の雌ネジ孔２２３への螺合状態が変化し、コマ部２２０をコマ案内溝２１４に沿って移動させる。
【００３２】
［リニアスケールの設置］
次に、リニアスケール１００を測定器３００の台座部３１０への設置動作の一例について説明する。
【００３３】
リニアスケール１００を台座部３１０に設置する場合、検出ヘッド１２０をメインスケール１１０の所定位置に移動させる。この時、例えば測定器３００におけるリニアスケール１００の設置位置や、周囲の部材の設置状況などに応じて、メインスケール１１０および検出ヘッド１２０を固定台座部３１１および移動台座部３１２に固定しやすい適切な位置に移動させる。
【００３４】
そして、検出ヘッド１２０の長手方向の両端面を保持装置２００で挟み、保持装置２００の位置決め部２１１を検出ヘッド１２０の位置決め孔部に嵌合させる。この時、保持装置２００の爪部２１２をメインスケール１１０および検出ヘッド１２０の間に挿通し、メインスケール１１０および検出ヘッド１２０の間にクリアランス１２１を形成する。また、この時、保持装置２００の第一係合部２１３およびコマ部２２０のコマ係合部をヘッド移動溝１１４に挿通し、第一係合部２１３の係止部２１３Ａを一方の延出部１１２に係合させる。
【００３５】
この後、保持装置２００の保持移動ネジ２３０の操作部２３３を回転させ、コマ部２２０を検出ヘッド１２０側に移動させる。これにより、コマ部２２０のコマ係合部２２２が他方の延出部１１２に係合され、保持装置２００がメインスケール１１０に固定される。
【００３６】
そして、この保持装置２００により検出ヘッド１２０がメインスケール１１０に保持されたリニアスケール１００を台座部３１０に例えばねじ止めなどにより固定する。すなわち、メインスケール１１０を固定台座部３１１に固定し、検出ヘッド１２０を移動台座部３１２に固定する。この後、保持装置２００の保持移動ネジ２３０を回転させて、コマ係合部２２２の係合状態を解除させ、保持装置２００をメインスケール１１０から取り外す。これにより、メインスケール１１０および検出ヘッド１２０に所定厚み寸法のクリアランス１２１が形成された状態で、リニアスケール１００が台座部３１０に設置される。
【００３７】
［実施の形態の作用効果］
上述したように、上記実施の形態のリニアスケール１００の保持装置２００は、メインスケール１１０のヘッド対向面１１３にメイン当接面２１０Ｂにて当接する保持本体２１０と、この保持本体２１０のヘッド当接面２１０Ａからメイン当接面２１０Ｂの面方向に連続形成され、メインスケール１１０および検出ヘッド１２０の間に挿通される爪部２１２と、保持本体２１０のメイン当接面２１０Ｂからヘッド移動溝１１４に挿通される第一係合部２１３およびコマ係合部２２２と、コマ部２２０を移動させてコマ係合部２２２をヘッド移動溝１１４の幅方向に移動させ、保持装置２００をメインスケール１１０に固定する保持移動ネジ２３０と、を備えている。
このため、爪部２１２を、メインスケール１１０および検出ヘッド１２０の間に挿通するだけで、容易に、メインスケール１１０および検出ヘッド１２０の間のクリアランス１２１を所定寸法に維持した状態で、検出ヘッド１２０をメインスケール１１０に対して保持することができる。
また、保持移動ネジ２３０にてコマ係合部２２２をヘッド移動溝１１４の幅方向に移動させて、コマ係合部２２２を、ヘッド移動溝１１４を構成する延出部１１２に係合させている。これにより、保持装置２００をメインスケール１１０にねじ止めなどする必要がなく、メインスケール１１０の長手方向に沿う任意の位置に固定することができる。したがって、検出ヘッド１２０をメインスケール１１０の任意の位置に位置決めした状態で、リニアスケール１００を台座部３１０に固定することができ、リニアスケール１００の台座部３１０への取付作業をより効率的に実施することができる。
【００３８】
また、保持装置２００のコマ係合部２２２は、ヘッド移動溝１１４内に挿通される挿通部２２２Ａおよび挿通部２２２Ａから枠部材１１１の一方の側面に向かって突出する突出部２２２Ｂを備えている。そして、保持移動ネジ２３０は、このコマ係合部２２２を溝部の側縁に向かって移動させている。
このため、コマ部２２０を移動させるだけで、容易に保持装置２００を固定することができる。また、この時コマ係合部２２２の突出部２２２Ｂが延出部１１２に係合されることで、延出部１１２を突出部２２２Ｂと保持本体２１０のメイン当接面２１０Ｂとにより挟み込むので、保持装置２００のガタツキがなく、良好に保持装置２００をメインスケール１１０に固定することができる。
【００３９】
さらに、ヘッド移動溝１１４に係合される第一係合部２１３およびコマ係合部２２２のうち、コマ係合部２２２のみを移動させて、保持装置２００をメインスケール１１０に固定している。このため、ヘッド移動溝１１４に係合される係合部２１３，２２２のうち、コマ係合部２２２のみを移動させるだけでよく、より簡単な構成で保持装置２００をメインスケール１１０に固定することができる。
【００４０】
そして、保持装置２００は、ヘッド移動溝１１４に対して交差する状態に傾斜する保持移動ネジ２３０を備え、この保持移動ネジ２３０の先端の雄ネジ部２３１にコマ部２２０の雌ネジ孔２２３が螺合されている。
このため、保持移動ネジ２３０を回転させて、雌ネジ孔２２３および雄ネジ部２３１の螺合状態を変化させるだけで容易にコマ係合部２２２を枠部材１１１の側面に向かって移動させることができる。したがって、簡単な構成で、また簡単な作業にて保持装置２００をメインスケール１１０に固定することができる。
【００４１】
さらに、保持移動ネジ２３０は、鍔部２３２および操作部２３３がそれぞれコマ案内溝２１４の操作面２１０Ｃ側の端面、およびネジ操作面２１０Ｄに当接されているため、保持移動ネジ２３０の軸方向の移動が規制されている。このため、保持移動ネジ２３０が軸方向に移動してコマ係合部２２２のヘッド移動溝１１４への係合状態が解除されるなどの不都合を防止できる。
また、保持移動ネジ２３０の操作部２３３は、リニアスケール１００の長手方向に対して傾斜する方向に延出している。このため、検出ヘッド１２０の長手方向の延長上に例えば他の部材（例えば可動軸１２２など）がある場合でも、この部材を回避して操作部２３３を操作することができ、保持装置２００のメインスケール１１０への固定作業を容易に実施できる。
【００４２】
また、保持本体２１０のヘッド当接面２１０Ａには、位置決め部が設けられ、この位置決め部は、検出ヘッド１２０の側面に設けられる位置決め孔に嵌合されている。これにより、保持装置２００を検出ヘッド１２０に位置決めすることができ、リニアスケール１００の取付時に検出ヘッド１２０が長手方向に沿って移動してしまうなどの不都合を防止できる。
【００４３】
そして、上記のようなリニアスケール１００は、検出ヘッド１２０の両端側に保持装置２００を取り付けてメインスケール１１０に固定し、保持装置２００にて検出ヘッド１２０がメインスケール１１０の所定位置に保持されている状態で台座部３１０に固定されている。
このため、検出ヘッド１２０の両端側に保持装置２００を取り付けるため、検出ヘッド１２０およびメインスケール１１０の間のクリアランス１２１を一様な所定厚み寸法に維持することができ、良好にリニアスケール１００を台座部３１０に固定することができる。
【００４４】
〔他の実施の形態〕
なお、本発明は、上記実施形態で説明した構成に限定されるものでなく、次のような変形例も含む。
【００４５】
例えば、上記実施の形態では、リニアスケール１００の長手方向に対して傾斜する保持移動ネジ２３０の先端にコマ部２２０を設ける構成を示したが、これに限られず、例えば、図５や図６に示すような構成としてもよい。
【００４６】
この図５は、他の実施の形態における保持装置をヘッド移動溝側から見た平面図であり、（Ａ）は、保持装置をメインスケールに固定した状態における図、（Ｂ）は、保持装置の固定が解除された状態における図である。また、図６は、さらに他の実施の形態における保持装置をヘッド移動溝側から見た平面図であり、（Ａ）は、保持装置をメインスケールに固定した状態における図、（Ｂ）は、保持装置の固定が解除された状態における図である。
【００４７】
この図５において、保持装置２００Ａは、前記実施の形態と同様に、保持本体２１０と、コマ部２２０と、保持移動ネジ２３０Ａと、を備えている。
この保持装置２００Ａの保持本体２１０は、前記実施の形態と略同様であり、位置決め部２１１、爪部２１２、第一係合部２１３、およびコマ案内溝２１５を備えている。
このコマ案内溝２１５は、操作面２１０Ｃから、ヘッド当接面２１０Ａに近接するに従って、第一係合部２１３から離隔する方向に傾斜して形成されている。また、コマ案内溝２１５は、操作面２１０Ｃ側の端面に、操作面２１０Ｃと連通するネジ挿通孔２１５Ａを備えている。
コマ部２２０は、コマ案内溝２１５の幅寸法と略同一幅寸法の胴部２２４と、コマ係合部２２２とを備えている。この胴部２２４は、ヘッド当接面２１０Ａ側の端面２２４Ａおよび操作面２１０Ｃ側の端面２２４Ｂがそれぞれ、ヘッド移動溝１１４の長手方向に対して略直交する面状に形成されている。
保持移動ネジ２３０Ａは、軸方向がヘッド移動溝１１４の長手方向と略平行する状態に、ネジ挿通孔２１５Ａに螺合され、先端部がコマ部２２０の端面２２４Ｂに当接している。
また、コマ案内溝２１５のヘッド当接面２１０Ａ側端面には、コマ部２２０の端面２２４Ａとの間に、付勢手段としてのコイルバネ２３４が設けられ、コマ部２２０を操作面２１０Ｃ側に付勢している。
【００４８】
上記構成の保持装置２００Ａでは、保持移動ネジ２３０Ａの操作部２３３を回転させて、保持移動ネジ２３０Ａをネジ挿通孔２１５Ａに螺合させ、その螺合状態を変化させることで、コマ部２２０を軸方向に押圧する。具体的には、保持移動ネジ２３０Ａによりコマ部２２０を押し込むと、図５（Ａ）に示すように、コマ係合部２２２が枠部材１１１の一側面に向かって移動し、突出部２２２Ｂが延出部１１２に係合されて、保持装置２００Ａがメインスケール１１０に固定される。また、保持移動ネジ２３０Ａを操作面２１０Ｃ側から引き抜く方向に移動させると、図５（Ｂ）に示すように、コイルバネ２３４がコマ部２２０を操作面２１０Ｃ側に付勢し、突出部２２２Ｂおよび延出部１１２の係合状態が解除される。
【００４９】
上記のような構成でも、前記実施の形態と同様に、爪部２１２を、メインスケール１１０および検出ヘッド１２０の間に挿通するだけで、容易にメインスケール１１０および検出ヘッド１２０の間のクリアランス１２１を所定寸法に維持することができ、この状態で、容易に検出ヘッド１２０をメインスケール１１０に対して保持することができる。また、保持装置２００をメインスケール１１０の長手方向に沿う任意の位置に固定することができ、検出ヘッド１２０をメインスケール１１０の任意の位置に位置決めした状態で、リニアスケール１００を台座部３１０に固定することができる。
【００５０】
また、図６に示す例では、保持装置２００Ｂは、前記実施の形態と同様に、保持本体２１０と、コマ部２２０と、保持移動ネジ２３０Ｂと、を備えている。
この保持装置２００Ｂの保持本体２１０は、前記実施の形態と略同様であり、位置決め部２１１、爪部２１２、第一係合部２１３、およびコマ案内溝２１６を備えている。
このコマ案内溝２１６は、ヘッド移動溝１１４の長手方向に対して略直交する方向に延出する状態に形成されている。また、コマ案内溝２１６は、操作面２１０Ｃ側の端面に、操作面２１０Ｃと連通するネジ挿通孔２１６Ａを備えている。
コマ部２２０は、コマ案内溝２１６の幅寸法と略同一幅寸法の胴部２２５と、コマ係合部２２２とを備えている。この胴部２２５は、ヘッド移動溝１１４に対して傾斜するコマ傾斜面２２５Ａを備えている。具体的には、コマ傾斜面２２５Ａは、ヘッド当接面２１０Ａ側から操作面２１０Ｃ側に向かうに従って、第一係合部２１３から離隔する方向に例えば４５度の角度で傾斜している。また、胴部２２５のコマ傾斜面２２５Ａと反対側の面は、コマ案内溝２１６のヘッド当接面２１０Ａ側の端面に当接する平面状に形成されている。さらに、胴部２２５は、コマ案内溝２１６の延出方向に対して略直交する付勢面２３５Ｂを備えている。そして、胴部２２５は、上記実施の形態の胴部２２１と同様に、ヘッド移動溝１１４に挿通可能なコマ係合部２２２を備えている。
保持移動ネジ２３０Ｂは、軸方向がヘッド移動溝１１４の長手方向と略平行する状態に、ネジ挿通孔２１６Ａに螺合されている。また、保持移動ネジ２３０Ｂの先端部には、コマ部２２０のコマ傾斜面２２５Ａと略同一傾斜方向に形成される傾斜面２３５Ａを有するコマ移動部材２３５が、保持移動ネジ２３０Ｂの軸を中心として回転可能に設けられている。
また、コマ案内溝２１６におけるコマ部２２０付勢面２２５Ｂに対向する側面には、コマ部２２０の付勢面２２５Ｂとの間に、付勢手段としてのコイルバネ２３６が設けられ、コマ部２２０をコマ移動部材２３５側に付勢している。
上記構成の保持装置２００Ｂでは、保持移動ネジ２３０Ｂの操作部２３３を回転させて、保持移動ネジ２３０Ｂをネジ挿通孔２１６Ａに螺合させ、その螺合状態を変化させることで、コマ移動部材２３５が軸方向に移動する。これにより、コマ移動部材２３５が押し込まれると、図６（Ａ）に示すように、コマ係合部２２２が枠部材１１１の一側面に向かって移動し、突出部２２２Ｂが延出部１１２に係合されて、保持装置２００Ｂがメインスケール１１０に固定される。また、コマ移動部材２３５が操作面２１０Ｃ側に移動すると、図６（Ｂ）に示すように、コイルバネ２３６がコマ部２２０をコマ移動部材２３５側に付勢し、突出部２２２Ｂおよび延出部１１２の係合状態が解除される。
【００５１】
上記のような構成でも、前記実施の形態と同様に、爪部２１２を、メインスケール１１０および検出ヘッド１２０の間に挿通するだけで、容易にメインスケール１１０および検出ヘッド１２０の間のクリアランス１２１を所定寸法に維持した状態で、検出ヘッド１２０をメインスケール１１０に対して保持することができる。また、保持装置２００Ｂをメインスケール１１０の長手方向に沿う任意の位置に固定することができ、検出ヘッド１２０をメインスケール１１０の任意の位置に位置決めした状態で、リニアスケール１００を台座部３１０に固定することができる。
また、コマ部２２０、およびコマ部２２０に設けられるコマ係合部２２２が、ヘッド移動溝１１４の長手方向に対して略直交する方向に移動するので、より確実にコマ係合部２２２を延出部１１２に係合させることができる。
【００５２】
そして、上記実施の形態および図５、図６に示される構成では、保持移動ネジ２３０，２３０Ａ，２３０Ｂによりコマ部２２０に設けられるコマ係合部２２２を移動させて延出部１１２に係合させる構成を示したが、これに限定されない。
例えば、図７や図８に示されるような保持部を用いて保持装置を固定する構成としてもよい。
【００５３】
この図７は、さらに他の実施の形態における保持装置の概略を示す斜視図であり、（Ａ）は、保持装置をメインスケールのヘッド移動溝に対して装着可能な状態を示す図、（Ｂ）は、保持装置をメインスケールに対して固定した状態を示す図である。図８は、さらに他の実施の形態における保持装置の概略を示す斜視図であり、（Ａ）は、保持装置をメインスケールのヘッド移動溝に対して装着可能な状態を示す図、（Ｂ）は、保持装置をメインスケールに対して固定した状態を示す図である。
【００５４】
図７において、保持装置２００Ｃは、保持本体２１０と、保持部としての回動保持部２４０と、保持移動手段としての回転軸部２５０と、を備えている。
保持本体２１０は、位置決め部２１１および爪部２１２を備えている。また、保持本体２１０は、メイン当接面２１０Ｂと反対側となる回動操作面２１０Ｅから、メイン当接面２１０Ｂを連通する図示しない軸挿通孔を備えている。
回動保持部２４０は、例えば回転軸部２５０と一体形成されており、回転軸部２５０が保持本体２１０の軸挿通孔に挿通されることで、保持本体２１０に対して回転可能に設けられている。そして、この回動保持部２４０は、幅寸法がヘッド移動溝１１４の幅寸法と略同一、もしくは小さい寸法に形成される長手状に形成されており、長手方向の略中心部に回転軸部２５０が連結されている。また、回動保持部２４０は、メイン当接面２１０Ｂに対向して、係合保持部２４１，２４２が形成されている。これらの係合保持部２４１，２４２は、それぞれ回転軸部２５０を挟んで設けられ、回動保持部２４０の回転周方向に対して傾斜するテーパ面形状に形成されている。
回転軸部２５０は、上記したように、回動保持部２４０の略中心部に連結され、保持本体２１０の軸挿通孔に挿通されている。また、回転軸部２５０の端部には、保持本体２１０の回動操作面２１０Ｅに当接する操作部２５１が設けられており、操作部２５１により回動保持部２４０および回転軸部２５０の軸方向への移動が規制されている。
【００５５】
上記構成の保持装置２００Ｃでは、図７（Ａ）に示されるように、回転軸部２５０の操作部２５１を回転させて、回動保持部２４０をヘッド移動溝１１４の長手方向と略平行する状態で、ヘッド移動溝１１４に挿通させる。そして、保持装置２００Ｃの位置決め部２１１を検出ヘッド１２０の位置決め孔に嵌合させ、爪部２１２をメインスケール１１０および検出ヘッド１２０の間に挿通させる。この後、図７（Ｂ）に示されるように、回転軸部２５０の操作部２５１を回転させる。これにより、回動保持部２４０も回動し、延出部１１２が係合保持部２４１，２４２のテーパ面に沿って移動し、係合保持部２４１，２４２と係合される。
【００５６】
上記のような構成でも、前記実施の形態と同様に、爪部２１２を、メインスケール１１０および検出ヘッド１２０の間に挿通するだけで、容易にメインスケール１１０および検出ヘッド１２０の間のクリアランス１２１を所定寸法に維持することができ、保持装置２００をメインスケール１１０の長手方向に沿う任意の位置に固定することができる。
また、回転軸部２５０の操作部２５１を約９０度回動させるだけで、保持装置２００Ｃの係脱が可能となるため、保持装置２００Ｃの固定作業をより容易に実施することができる。
【００５７】
また、図８の保持装置２００Ｄは、保持装置２００Ｃと略同様に、保持本体２１０と、保持部としての回動保持部２６０と、保持移動手段としての回転軸部２５０と、を備えている。
保持本体２１０は、位置決め部２１１および爪部２１２を備えている。また、保持本体２１０は、メイン当接面２１０Ｂと反対側となる回動操作面２１０Ｅから、メイン当接面２１０Ｂを連通する図示しない軸挿通孔を備えている。
回動保持部２６０は、例えば回転軸部２５０と一体形成されており、回転軸部２５０が保持本体２１０の軸挿通孔に挿通されることで、保持本体２１０に対して回転可能に設けられている。そして、この回動保持部２６０は、幅寸法がヘッド移動溝１１４の幅寸法と略同一、もしくは小さい寸法に形成される長手状に形成されており、長手方向の略中心部に回転軸部２５０が連結されている。また、回動保持部２６０は、メイン当接面２１０Ｂに対向して、略円弧面状の係合保持部２６１が形成されている。この係合保持部２６１は、回転軸部２５０との連結位置が最も保持本体２１０のメイン当接面２１０Ｂに近接する円弧状に形成されている。
【００５８】
上記構成の保持装置２００Ｄでは、図８（Ａ）に示されるように、回転軸部２５０の操作部２５１を回転させて、回動保持部２６０をヘッド移動溝１１４の長手方向と略平行する状態で、ヘッド移動溝１１４に挿通させる。そして、保持装置２００Ｄの位置決め部２１１を検出ヘッド１２０の位置決め孔に嵌合させ、爪部２１２をメインスケール１１０および検出ヘッド１２０の間に挿通させる。この後、図８（Ｂ）に示されるように、回転軸部２５０の操作部２５１を回転させる。これにより、回動保持部２６０も回動し、延出部１１２が係合保持部２６１の円弧面に沿って移動し、係合保持部２６１と係合される。
【００５９】
上記のような構成でも、容易にメインスケール１１０および検出ヘッド１２０の間のクリアランス１２１を所定寸法に維持することができ、保持装置２００をメインスケール１１０の長手方向に沿う任意の位置に固定することができる。
また、図７に示す例と同様に、回転軸部２５０の操作部２５１を約９０度回動させるだけで、保持装置２００Ｄの係脱が可能となるため、保持装置２００Ｄの固定作業をより容易に実施することができる。
【００６０】
さらに、上記実施の形態及び図５、図６に示される他の実施の形態では、一対の第一係合部２１３と、１つのコマ係合部２２２により保持装置２００が係合される構成を示したが、例えばさらに多くの第一係合部２１３、コマ係合部２２２を設ける構成としてもよい。
【００６１】
また、コマ係合部２２２のみを移動させて保持装置２００，２００Ａ，２００Ｂを固定する例を示したが、コマ係合部２２２とともに第一係合部２１３をも移動させて保持装置２００，２００Ａ，２００Ｂを固定する構成などとしてもよい。
【００６２】
さらに、コマ案内溝２１４の傾斜方向は、保持本体２１０のヘッド当接面２１０Ａの反対側面となる操作面２１０Ｃから、ヘッド当接面２１０Ａに近接するに従って、第一係合部２１３に近接する方向に傾斜する例を示したが、逆方向に傾斜する構成などとしてもよい。
【００６３】
その他、本発明の実施の際の具体的な構造および手順は、本発明の目的を達成できる範囲で他の構造などに適宜変更できる。
【産業上の利用可能性】
【００６４】
本発明は、メインスケールに対してヘッド部が移動可能な測定装置において、メインスケールに対してヘッド部を位置決めする保持装置に利用できる。
【図面の簡単な説明】
【００６５】
【図１】本実施の形態のリニアスケールの構成を示す全体斜視図である。
【図２】前記実施の形態のリニアスケールの正面図である。
【図３】前記実施の形態のリニアスケールにおいて、検出ヘッドをメインスケールに保持する保持装置をヘッド移動溝側から見た平面図であり、（Ａ）は、保持装置をメインスケールに固定した状態における図、（Ｂ）は、保持装置の固定が解除された状態における図である。
【図４】メインスケールに保持装置を固定した状態の概略を示す断面図である。
【図５】他の実施の形態における保持装置をヘッド移動溝側から見た平面図であり、（Ａ）は、保持装置をメインスケールに固定した状態における図、（Ｂ）は、保持装置の固定が解除された状態における図である。
【図６】さらに他の実施の形態における保持装置をヘッド移動溝側から見た平面図であり、（Ａ）は、保持装置をメインスケールに固定した状態における図、（Ｂ）は、保持装置の固定が解除された状態における図である。
【図７】さらに他の実施の形態における保持装置の概略を示す斜視図であり、（Ａ）は、保持装置をメインスケールのヘッド移動溝に対して装着可能な状態を示す図、（Ｂ）は、保持装置をメインスケールに対して固定した状態を示す図である。
【図８】さらに他の実施の形態における保持装置の概略を示す斜視図であり、（Ａ）は、保持装置をメインスケールのヘッド移動溝に対して装着可能な状態を示す図、（Ｂ）は、保持装置をメインスケールに対して固定した状態を示す図である。
【図９】従来のリニアスケールおよび保持装置の構成を示す斜視図である。
【符号の説明】
【００６６】
１００  …測定装置としてのリニアスケール
１１０  …メインスケール
１１２  …延出部
１１３  …移動面としてのヘッド対向面
１１４  …溝部としてのヘッド移動溝
１２０  …ヘッド部としての検出ヘッド
２００  …保持装置
２１０  …保持本体
２１２  …爪部
２１４，２１５…案内溝としてのコマ案内溝
２２０  …保持部としてのコマ部
２２２  …係合部としてのコマ係合部
２２２Ａ…挿通部
２２２Ｂ…突出部
２２５Ａ…斜面としてのコマ傾斜面
２３０…保持移動手段およびネジ部材としての保持移動ネジ
２３０Ａ…押圧部材としての保持移動ネジ
２３４  …付勢手段としてのコイルバネ
２３５  …押圧部材としてのコマ移動部材
２３５Ａ…押圧斜面としての傾斜面
２３６  …付勢手段としてのコイルバネ
２４０，２６０  …保持部としての回動保持部
２４１，２４２，２６１…係合保持部
２５０  …回動軸および回動部材としての回動軸部
３１１  …第一取付部としての固定台座部
３１２  …第二取付部としての移動台座部
【図１】
2008267989.tif 000003
【図２】
2008267989.tif 000004
【図３】
2008267989.tif 000005
【図４】
2008267989.tif 000006
【図５】
2008267989.tif 000007
【図６】
2008267989.tif 000008
【図７】
2008267989.tif 000009
【図８】
2008267989.tif 000010
【図９】
2008267989.tif 000011